【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
オブジェクトを評価する方法において、
ａ）オブジェクトに対して少なくともオブジェクトタイプ、オブジェクトマーケット及びオブジェクトグループを与えるステップと、
ｂ）前記オブジェクトタイプ、オブジェクトマーケット及びオブジェクトグループの組み合せにより前記オブジェクトを分類するステップと、
ｃ）前記オブジェクトの開発の評価を計算するステップと、
を備えた方法。
【請求項２】
前記オブジェクトの評価の計算は、基準オブジェクトとの比較により実施され、及び／又は、評価ファクタ、即ち自動的に発生される最適なオブジェクトにより実施される請求項１記載の方法。
【請求項３】
前記オブジェクトは、製品、個人、又はサービスであり、及び／又はビジネスパートナー、プライベートパートナー、広告スペース、広告媒体、オペレータ、ビジネス又は条件モデルである、請求項１又は２に記載の方法。
【請求項４】
前記オブジェクトの開発の推定は、予測アルゴリズムの助けで計算され、過去の値、特に、時間及び天候に基づいて計算され、及び／又は、特殊な事象、時代精神又は可能なオブジェクトのライフサイクルに基づいて計算される請求項１から３のいずれかに記載の方法。
【請求項５】
前記評価は、手動的及び／又は自動的に行なわれる、請求項１から４のいずれかに記載の方法。
【請求項６】
前記評価は、好ましくは０から１０の値スケールからの値を採用する、請求項１から５のいずれかに記載の方法。
【請求項７】
前記オブジェクトは、１つ以上の分類に属し、及び／又は、同様に評価されたオブジェクトが１つの分類に割り当てられる、請求項１から６のいずれかに記載の方法。
【請求項８】
前記分類は、オブジェクトタイプ、オブジェクトマーケット及びオブジェクトグループの明確な組み合せである、請求項１から７のいずれかに記載の方法。
【請求項９】
多数の予測アルゴリズムより成る予測コンポーネントが分類及び／又は単一オブジェクトに割り当てられる、請求項１から８のいずれかに記載の方法。
【請求項１０】
前記オブジェクトタイプは、オブジェクトの明確なプロパティであり、前記オブジェクトマーケットは、分類のプロパティであり、及び／又は、前記オブジェクトグループは、分類の特徴である、請求項１から９のいずれかに記載の方法。
【請求項１１】
各評価ファクタは、個々の重み付けパーセンテージを受け入れ、又は、各評価ファクタは、個々の重み付けパーセンテージを受け入れ、全ての重みの和が厳密に１００パーセントである請求項１から１０のいずれかに記載の方法。
【請求項１２】
前記評価ファクタは、統計学的データと、予測の基礎を形成するデータとの両方を表わす、請求項１から１１のいずれかに記載の方法。
【請求項１３】
分類に使用される個々の評価ファクタに関するデータは、内部データソース及び／又は外部データソースから発生する、請求項１から１２のいずれかに記載の方法。
【請求項１４】
前記最適なオブジェクトは、評価ファクタの確立されたプールと共に市場で入手できるデータから発生される、請求項１から１３のいずれかに記載の方法。
【請求項１５】
前記最適なオブジェクトは、各影響ファクタの最適値を含む、請求項１から１４のいずれかに記載の方法。
【請求項１６】
前記最適なオブジェクトは、自動的に確立され、又、好ましくは手動でも確立される、請求項１から１５のいずれかに記載の方法。
【請求項１７】
自動的及び／又は手動で発生された最適なオブジェクトは、基準オブジェクトに割り当てられ、及び／又は前記基準オブジェクトは、評価に必要とされる全ての影響ファクタより成る、請求項１から１６のいずれかに記載の方法。
【請求項１８】
評価されるべきオブジェクト及び／又は評価されたオブジェクトの評価は、グラフで表わされる、請求項１から１７のいずれかに記載の方法。
【請求項１９】
オブジェクトの異なる評価がサーチエンジンに対して使用され、及び／又は、オブジェクトの異なる評価が、ランキングリストの発生に使用される、請求項１から１８のいずれかに記載の方法。
【請求項２０】
サーチエンジンのサーチの結果として、評価されるべきオブジェクト及び／又は評価されたオブジェクトが順次に表示される、請求項１９に記載の方法。
【請求項２１】
ランキングリストのための評価されるべきオブジェクト及び／又は評価されたオブジェクトは、好ましくは、より高い評価を有する場合に最初に指示される、請求項１９に記載の方法。
【請求項２２】
請求項１から２１のいずれかに記載の、オペレータから情報を得るための方法において、成功であることに基づいてサービスのユーザに支払をする方法。
【請求項２３】
前記支払は、広告オーバーレイ（ビュー）、クリック実行（ビジター）、リード（登録）、及びセール（購入）に対し、オペレータに基づいて個々に行われる、請求項２２に記載の方法。
【請求項２４】
前記広告オーバーレイは、ウェブサイトにおける広告バナーとして使用される、請求項２３に記載の方法。
【請求項２５】
ａ）ユーザがサービスプロバイダーに登録を行い、
ｂ）ユーザがオペレータを選択し、
ｃ）ユーザがオペレータに適用し、
ｄ）承認された場合に、ユーザがｅメールによりオペレータから確認を受け取り、
ｅ）ユーザが、確認に続いてアクセスするところのリンクコードを自分の広告スペースに設定し、
ｆ）成功の場合に、ユーザが支払を受ける、
請求項２２から２４のいずれかに記載の方法。
【請求項２６】
前記情報は、ｅコマースコンテンツ、広告媒体及び製品データより成る、請求項２２から２５のいずれかに記載の方法。
【請求項２７】
請求項１から２６のいずれかに記載の方法において、オブジェクトの各評価が、予め指定された値、いわゆるＡｄＲａｎｋ値、より高い場合に、オブジェクトがある関係を形成するようにした方法。
【請求項２８】
前記オブジェクトは、パートナーカタログにリストされる、請求項２７に記載の方法。
【請求項２９】
オペレータがパートナーにオファーを提出することができ、及び／又は、オペレータがパートナーにオファーを提出することができ、前記オファーは、受け容れられ、拒絶され、又は逆オファーで応答される、請求項２７又は２８のいずれかに記載の方法。
【請求項３０】
請求項１から２１又は２７から２９のいずれかに記載の方法を実施するためのオブジェクト評価システムにおいて、
ａ）評価のための管理モジュールと、
ｂ）グラフを表示するための再現ユニットと、
ｃ）評価を実施するところのデータを与えるための外部及び内部データベースと、
を備えたシステム。
【請求項３１】
オブジェクト、評価、分類、オブジェクトマーケット、オブジェクトタイプ、オブジェクトグループ、評価ファクタ及び／又は予測アルゴリズムが、前記管理モジュールで処理され、変更され、削除される、請求項３０に記載のシステム。
【請求項３２】
最適なオブジェクトが、前記管理モジュールで自動的に発生され、手動で入力され、セーブされ、削除され、及び／又は、基準オブジェクトが前記管理モジュールで新たに発生され、変更され、セーブされ、削除される請求項３０又は３１のいずれかに記載のシステム。
【請求項３３】
前記オブジェクトの異なる評価を使用するサーチエンジンが設けられる、請求項３０から３２のいずれかに記載のシステム。
【請求項３４】
請求項２１から２９に記載の方法を実施するための、成功であることに基づいてサービスのユーザに支払をするオペレータからの情報を得るシステムにおいて、
ａ）サービスプロバイダーに登録を行い、成功の場合に、支払を受けるユーザと、
ｂ）ユーザからアプリケーションを受け取り、承認された場合に、ｅメールでユーザに確認を送信するオペレータと、
ｃ）前記ユーザとオペレータとの間の仲介者として働くサービスプロバイダーと、
ｄ）オペレータからの確認に続いてユーザがアクセスするところのリンクコードをユーザが設定する広告スペースと、
を備えたシステム。